(57)【要約】      （修正有）【課題】屋外専用二輪自転車本体に前輪座布団本体と後輪座布団本体を屋内座敷等に設け、上述屋外専用二輪自転車の前輪と後輪を設置して、放置自転車の減少、盗難防止をする。【解決手段】屋外専用両脚々立二輪自転車本体１に、前輪座布団本体１１と、後輪座布団本体１３を、更に屋外専用片脚々立二輪自転車本体２７に前輪座布団本体２２と、後輪座布団本体１６を屋内座敷等に設け、各それぞれの前輪と後輪を設置することで、上述屋外専用二輪車を屋外を、屋内停止サイクリング運動を可能にして、屋外屋内両用に転換することにより、盗難防止と放置自転車の減少に役立つ。【選択図】図１
0003131372.tif 000002
【実用新案登録請求の範囲】
【請求項１】
両脚々立二輪自転車前輪座布団本体及び後輪座布団本体のそれぞれの中央部に溝を設け当該溝に各前輪及び後輪脚立を設置することで屋外専用車を屋外屋内両用に転換したところを特徴とする両脚々立二輪自転車座布団。
【請求項２】
片脚々立二輪自転車前輪座布団本体の中央部に溝を設け前輪を設置し、更に後輪座布団本体の中央部に左右２ヶの後輪浮揚柱立穴を設け、当該穴に後輪浮揚柱を立て、上部の軸受けに後輪を設置することで屋外専用車を屋外屋内両用にしたところを特徴とする片脚々立二輪自転車座布団。
【考案の詳細な説明】
【技術分野】
【０００１】  本考案は、屋外専用両脚々立二輪自転車と片脚々立二輪自転車の前輪と後輪を屋内の座敷等に設けた、上述の二輪自転車前輪座布団と後輪座布団上に設置して後輪を浮揚し屋内停止サイクリング運動を可能にし屋外専用自転車を屋外、屋内両用に転換し放置自転車等を再利用した上述座布団に関するものである。
【背景技術】
【０００２】  屋内専用ニューエクスバイク、マグネットバイク等が市販されている。
【考案の開示】
【考案が解決しようとする課題】
【０００３】  本考案は、捨て場に困り各所に放置や投棄されている、上述二輪自転車を上述の二輪自転車前輪座布団と後輪座布団を屋内座敷等に設け各座布団上に設置して後輪を浮揚して屋内停止サイクリングを可能にし再利用して解決しようとするものである。
【課題を解決するための手段】
【０００４】  本考案は、上述の二輪自転車前輪座布団と後輪座布団を屋内座敷等に設け、これの上に上述の二輪自転車前輪と後輪を各自に設置し後輪を浮揚することで屋内停止サイクリング運動が可能となり、問題点を解決している。
【考案の効果】
【０００５】  上述の如く、本考案は上述二輪自転車前輪座布団と後輪座布団を屋内座敷等に設け、この上に上述の二輪自転車の前輪と後輪を各自に設置し後輪を浮揚することで屋内サイクリング運動が可能となり屋外と屋内の両用に転換再利用することで放置自転車等の減少に貢献できる。
【考案を実施するための最良の形態】
【０００６】  両脚々立二輪自動車座布団は前輪座布団と後輪座布団の同形の座布団からなり当該座布団本体である台座は、長方形の木板で短辺の中央部から対辺の中央部に向け２本の角木材で車輪巾位の溝を形成する。当該前輪座布団と後輪座布団を屋内座敷等に設け上述両脚々立二輪自転車前輪と後輪を設置することで屋内停止サイクリング運動が可能となる。
片脚々立二輪自転車座布団本体は前輪座布団を上述両脚々立二輪自転車座布団と同形の座布団を設ける。後輪座布団本体は台座を長方形の木板で短辺の中央部から対辺の中央部に向け木材で形成する左右２ヶの後輪浮揚柱立穴を形成し、当該浮揚柱立穴に後輪浮揚柱を立て上部の後輪軸受けに後輪を設置し構成することで屋内停止サイクリング運動が可能となる。尚、上述座布団は屋内用として全体を布等で覆う。後輪浮揚柱は取り外し自在で収納が簡単である。
【実施例】
【０００７】  以下、添付図面に従って一実施例を説明する。１１は木材等適宜素材にて一体化形成された両脚々立二輪自転車前輪座布団本体、１２は前輪を挟み付け溝を形成する木角材、１３は両脚々立二輪自転車後輪座布団本体、１４は後輪脚立を立てる溝を形成する木角材、１５は両脚々立を立てる溝、当該溝に両脚々立を立て上述二輪自転車後輪を浮揚することで屋内停止サイクリング運動が可能となり、屋外専用二輪自転車を、屋外屋内両用に転換する。
更に２２は片脚々立二輪自転車前輪座布団本体、２３は前輪設置溝、１６は上述片脚々立二輪自転車後輪座布団本体、１９は後輪浮揚柱立て穴、２０は後輪浮揚柱、２１は後輪浮揚柱軸受け、当該軸受けに後輪を設置して後輪を浮揚することで屋内停止サイクリング運動が可能となり、屋外専用二輪自転車を屋外屋内両用に転換する。【０００８】  屋外専用両脚々立二輪自転車後輪座布団本体１３の中央部に設けた後輪脚立溝１５に、後輪脚立６を立て、後輪４を浮揚する。屋外専用片脚々立二輪自転車後輪座布団本体１６の中央分に設けた左右２本の後輪浮揚柱２０上部の後輪浮揚柱軸受け２１に後輪を設置して後輪を浮揚する。【０００９】  本考案の実施例は上述の如き構成からなるものであるから、屋外専用両脚々立二輪自転車前輪座布団本体１１と、後輪座布団本体１３上に、又屋外専用片脚々立二輪自転車本体２２と、後輪座布団本体１６上に、上述二輪自転車それぞれの前輪後輪を乗せるだけで設置し取外し自在である。
【図面の簡単な説明】
【００１０】
【図１】本考案の屋外専用両脚々立二輪自転車実施例を示す同自転車前輪座布団本体及び後輪座布団本体を設置した側面図である。
【図２】上述二輪自転車前輪座布団本体及び後輪座布団本体の平面図である。
【図３】上述二輪自転車前輪座布団本体及び後輪座布団本体のＢ−Ｂ”面断面図である。
【図４】本考案の屋外専用片脚々立二輪自転車実施例を示す、同自転車前輪座布団本体及び後輪座布団本体を設置した側面図である。
【図５】上述二輪自転車後輪座布団本体平面図である。
【図６】上述二輪自転車後輪座布団本体Ａ−Ａ”面断面図である。
【図７】上述二輪自転車後輪浮揚柱である。
【図８】上述二輪自転車前輪座布団本体平面図である。
【符号の説明】
【００１１】  １  両脚々立二輪自転車本体
２  両脚々立二輪自転車ハンドル
３  両脚々立二輪自転車サドル
４  両脚々立二輪自転車後輪
５  両脚々立二輪自転車チエン
６  両脚々立二輪自転車後輪脚立
７  両脚々立二輪自転車後輪土除け
８  両脚々立二輪自転車ベタル
９  両脚々立二輪自転車前輪
１０  両脚々立二輪自転車前輪土除け
１１  両脚々立二輪自転車前輪座布団本体
１２  両脚々立二輪自転車前輪座布団本体上に設けられた前輪設置溝を形成する木材
１３  両脚々立二輪自転車後輪座布団本体
１４  両脚々立二輪自転車後輪座布団本体上に設けられた後輪脚立溝を形成する木材
１５  両脚々立二輪自転車後輪座布団本体上に設けられた後輪脚立溝
１６  片脚々立二輪自転車後輪座布団本体
１７  片脚々立二輪自転車後輪座布団本体上に設けられた後輪浮揚柱立穴の側壁を形成する木材
１８  片脚々立二輪自転車後輪座布団本体上に設けられた後輪浮揚柱立穴を形成する木材
１９  片脚々立二輪自転車後輪座布団本体上に設けられた後輪浮揚柱立穴
２０  片脚々立二輪自転車後輪座布団本体上に設けられた後輪浮揚柱
２１  片脚々立二輪自転車後輪座布団本体上に設けられた後輪浮揚柱軸受け
２２  片脚々立二輪自転車前輪座布団本体
２３  片脚々立二輪自転車前輪座布団本体上に設けられた前輪設置溝を形成する木材
２４  片脚々立二輪自転車前輪座布団本体上に設けられた前輪設置溝
２５  片脚々立二輪自転車本体の前輪
２６  片脚々立二輪自転車本体の前輪土除け
２７  片脚々立二輪自転車本体
２８  片脚々立二輪自転車本体のハンドル
２９  片脚々立二輪自転車本体のベタル
３０  片脚々立二輪自転車本体のサドル
３１  片脚々立二輪自転車本体の後輪
３２  片脚々立二輪自転車本体のチエーン
３３  片脚々立二輪自転車本体の後輪土除け
３４  片脚々立二輪自転車本体の後輪片脚々立
【図１】
0003131372.tif 000003
【図２】
0003131372.tif 000004
【図３】
0003131372.tif 000005
【図４】
0003131372.tif 000006
【図５】
0003131372.tif 000007
【図６】
0003131372.tif 000008
【図７】
0003131372.tif 000009
【図８】
0003131372.tif 000010